(57)【要約】  本発明の目的は、画素電極を高速で充電しなければならない場合にも、コストの増大及び開口率の低下を抑え、画素電極の充電不足を防止することができるドライバ装置を提供することにある。  本発明に係るドライバ装置（１０）は、ｎ番目の走査線（Ｇｎ）を走査する走査期間の間に、ｎ＋ｍ番目の走査線（Ｇ（ｎ＋１））に対して、走査線が走査されない期間におけるローレベルの電圧（Ｖｇｌ）とハイレベルの電圧（Ｖｇｈ）との中間電位（Ｖｇｌ’）を有する走査信号の供給を開始し、ｎ番目の走査線（Ｇｎ）の走査が終了した時点でｎ＋ｍ番目の走査線（Ｇ（ｎ＋１））の中間電位（Ｖｇｌ’）での走査を終了する第１走査を実行する走査線駆動回路（１２）を備えている。
2012115051.tif 000002
【特許請求の範囲】
【請求項１】
複数の走査線と、
上記複数の走査線と交差するように配置された複数の映像信号線と、
上記複数の走査線と上記複数の映像信号線とによって画定される画素領域と、
上記画素領域毎に設けられた画素電極と、
上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置において、
上記走査線駆動回路は、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、
上記ｎ番目の走査線の走査を終了した時点で上記ｎ＋ｍ番目の走査線に対して、上記ハイレベルの電圧を有する走査信号を供給する第２走査を実行する
ことを特徴とするドライバ装置。
【請求項２】
上記走査線駆動回路は、上記走査線に対し、上記第１走査及び上記第２走査を含む本走査を実行する前に予備走査信号を供給する予備走査を実行する
ことを特徴とする請求項１に記載のドライバ装置。
【請求項３】
上記中間電位は、上記ローレベルの電圧の値よりも大きい値から映像信号が有する電圧の最小値よりも小さい値までの範囲の値である
ことを特徴とする請求項１又は２に記載のドライバ装置。
【請求項４】
上記走査線駆動回路は、上記映像信号線に供給される映像信号の極性が反転する場合にのみ、上記第１走査を実行する
ことを特徴とする請求項１から３の何れか１項に記載のドライバ装置。
【請求項５】
上記中間電位は、接地電位である
ことを特徴とする請求項１から４の何れか１項に記載のドライバ装置。
【請求項６】
上記走査線駆動回路は、上記第１走査における走査期間の長さ、及び、中間電位の大きの少なくとも何れか一方を、上記走査線毎に変更可能である
ことを特徴とする請求項１から５の何れか１項に記載のドライバ装置。
【請求項７】
上記走査線駆動回路は、上記第２走査において供給される電圧を、ハイレベルの電圧から傾斜するように低下させた後、上記第２走査を終了する
ことを特徴とする請求項１から６の何れか１項に記載のドライバ装置。
【請求項８】
上記ＴＦＴの半導体層は、酸化物半導体、又は、ｐ−Ｓｉによって形成される
ことを特徴とする請求項１から７までの何れか１項に記載のドライバ装置。
【請求項９】
上記予備走査は、第１予備走査、及び、第２予備走査を含み、
上記走査線駆動回路は、
上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、
上記予備走査において、上記第２予備走査が終了した時点から、上記第１走査が開始される時点まで、上記第１予備走査を継続する
ことを特徴とする請求項２に記載のドライバ装置。
【請求項１０】
上記予備走査は、第１予備走査、及び、第２予備走査を含み、
上記走査線駆動回路は、
上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、
上記予備走査において、上記第２予備走査が開始される直前に上記第１予備走査を実行し、上記第２予備走査が終了した時点から、上記第１走査が開始される時点まで、上記第１予備走査を継続する
ことを特徴とする請求項２に記載のドライバ装置。
【請求項１１】
上記走査線駆動回路は、上記映像信号線に供給される映像信号の極性が反転しない場合に、上記第１走査における走査期間の長さを短くする処理、及び、上記第１走査における中間電位の大きを小さくする処理の少なくとも何れか一方を実行する、
ことを特徴とする請求項６に記載のドライバ装置。
【請求項１２】
複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置における駆動方法であって、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧と、ハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行する第１走査ステップと、
上記ｎ番目の走査線の走査が終了した時点で、上記ｎ＋ｍ番目の走査線に対して上記ハイレベルの電圧を有する走査信号を供給する第２走査を実行する第２走査ステップとを含んでいる、
ことを特徴とする駆動方法。
【請求項１３】
上記走査線に対し、上記第１走査ステップ及び上記第２走査ステップを含む本走査を実行する前に予備走査信号を供給する予備走査を実行する予備走査ステップをさらに含んでいる
ことを特徴とする請求項１２に記載の駆動方法。
【請求項１４】
上記中間電位を上記ローレベルの電圧の値よりも大きい値から映像信号が有する電圧の最小値よりも小さい値までの範囲の値である
ことを特徴とする請求項１２又は１３に記載の駆動方法。
【請求項１５】
上記第１走査ステップは、上記映像信号線に供給される映像信号の極性が反転する場合にのみ実行される
ことを特徴とする請求項１２から１４の何れか１項に記載の駆動方法。
【請求項１６】
上記中間電位を接地電位とする
ことを特徴とする請求項１２から１５の何れか１項に記載の駆動方法。
【請求項１７】
上記第１走査ステップにおいて、走査期間の長さ、及び、中間電位の大きさの少なくとも何れか一方を、上記走査線毎に変更可能である
ことを特徴とする請求項１２から１６までの何れか１項に記載の駆動方法。
【請求項１８】
上記第２走査ステップは、供給される電圧を、ハイレベルの電圧から傾斜するように所定の値まで低下させた後、上記第２走査を終了する
ことを特徴とする請求項１２から１７までの何れか１項に記載の駆動方法。
【請求項１９】
上記ＴＦＴの半導体層は、酸化物半導体、又は、ｐ−Ｓｉによって形成された半導体層である
ことを特徴とする請求項１２から１８までの何れか１項に記載の駆動方法。
【請求項２０】
上記予備走査ステップは、
ハイレベルの電圧を有する予備走査信号を供給する第２予備走査ステップと、
走査線が走査されない期間におけるローレベルの電圧と上記ハイレベルの電圧との中間電位を有する予備走査信号を供給する第１予備走査ステップとを含み、
上記予備走査ステップにおいて、上記第２予備走査ステップが終了した時点から、上記第１走査ステップが開始される時点まで、上記第１予備走査ステップを継続する
ことを特徴とする請求項１３に記載の駆動方法。
【請求項２１】
上記予備走査ステップは、
ハイレベルの電圧を有する予備走査信号を供給する第２予備走査ステップと、
走査線が走査されない期間におけるローレベルの電圧と上記ハイレベルの電圧との中間電位を有する予備走査信号を供給する第１予備走査ステップとを含み、
上記予備走査ステップにおいて、上記第２予備走査ステップが開始される直前に上記第１予備走査ステップを実行し、上記第２予備走査ステップが終了した時点から、上記第１走査ステップが開始される時点まで、上記第１予備走査ステップを継続する
ことを特徴とする請求項１３に記載の駆動方法。
【請求項２２】
上記第１走査ステップにおいて、上記映像信号線に供給される映像信号の極性が反転しない場合に、上記第１走査における走査期間の長さを短くする処理、及び、上記第１走査における中間電位の大きを小さくする処理の少なくとも何れか一方が実行可能である、
ことを特徴とする請求項１７に記載の駆動方法。
【請求項２３】
複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルと、
上記表示パネルを駆動するドライバ装置と、を備えた表示装置であって、
上記ドライバ装置は、請求項１から１１の何れか１項に記載のドライバ装置である
ことを特徴とする表示装置。
【発明の詳細な説明】
【技術分野】
【０００１】
本発明は、画素電極の充電不足を軽減するドライバ装置、及び、その駆動方法に関する。
【背景技術】
【０００２】
近年、テレビジョン受像機（以降、テレビとも呼称する）などの表示装置に対し、大画面化、高解像度化及び高フレームレート化が進められてきており、また、画像を立体視可能に表示（いわゆる、３Ｄ表示）することができるテレビが普及してきている。【０００３】
ここで、様々な解像度及び走査線の本数を有する表示装置において、各フレーム周波数で駆動した場合の、一走査線当たりの走査期間を図１９に示す。図１９は、様々な解像度及び走査線の本数を有する表示装置において、各フレーム周波数で駆動した場合の、一走査線当たりの走査期間の一例を示す表である。【０００４】
図１９に示すように、解像度が高くなるほど、すなわち、走査線の本数が多くなるほど、一走査線当たりの走査期間Ｔｏｎが短くなる。また、フレーム周波数が高くなるほど、すなわち、高フレームレートになるほど、一走査線当たりの走査期間Ｔｏｎが短くなる。【０００５】
また、図１９において、表示装置の解像度がＦｕｌｌＨＤである場合における、画面サイズに対する走査線の抵抗、走査線の容量、及び、時定数の関係を図２０に示す。図２０は、解像度がＦｕｌｌＨＤである表示装置を駆動した場合の、画面サイズに対する走査線の抵抗、走査線の容量、及び、時定数の関係の一例を示す表である。【０００６】
図２０に示すように、画面サイズが大きくなるほど、走査線の抵抗、走査線の容量及び時定数は大きくなる。【０００７】
図１９及び図２０に示すように、表示装置の大画面化、高解像度化、高フレームレート化及び３Ｄ表示への対応により、一走査線当たりの走査期間は短くなり、走査線の時定数は大きくなる。このため、画素電極の充電率が低下し、画素電極が充電不足になるという問題を生じる。【０００８】
以下に、一走査線当たりの走査期間が短時間しか確保できないときに、画素電極の充電が不足してしまう場合の例を、図２１〜図２２を参照して説明する。【０００９】
図２１は、一走査線当たりの走査期間が短時間しか確保できない場合において、従来の駆動方法を用いた場合の、走査信号及び映像信号の理想的な短波形のタイミングチャートである。また、図２２は、走査期間Ｔｏｎにおける、ＴＦＴ（薄膜トランジスタ）の各端子の充電電圧の変化を示す図である。なお、走査信号は、走査線からＴＦＴのゲート端子に供給され、映像信号は、映像信号線からＴＦＴのソース端子に供給される。【００１０】
図２１に示すように、あるフレームにおいて、走査信号Ｇｎの値が走査期間Ｔｏｎの間Ｖｇｈになると、ＴＦＴは走査期間Ｔｏｎの間ＯＮ状態になる。ＴＦＴがＯＮ状態となる走査期間Ｔｏｎにおいて、ＴＦＴのドレイン端子に接続されている画素電極は、ソース端子を介して供給される映像信号の電位（図２１においては＋電位）に充電される。【００１１】
このとき、図２２に示すように、ゲート端子に供給される走査信号によって充電されるゲート端子の到達電圧（ゲート電圧）を示すゲート波形は、走査期間Ｔｏｎが短いために、Ｖｇｈまで到達せず、Ｖｇｈ’までしか充電されていない（ただし、Ｖｇｈ’＜Ｖｇｈ）。これによって、ドレイン端子の到達電圧であるドレイン電圧（すなわち、ドレイン端子に接続されている画素電極の到達電圧）Ｖｄが、映像信号によるソース端子の到達電圧（ソース電圧）Ｖｓと同じ電圧まで到達せず、充電不足が生じてしまっている。これは、ゲート端子の到達電圧がＶｇｈまで到達しないことにより、ソース端子とドレイン端子とを通電するＴＦＴの能力が不足してしまうことに起因する。【００１２】
特許文献１には、図２３に示すように、画素電極の充電（本充電）を行う前に、予備充電を行うことによって、図２４に示すように、ドレイン端子の充電不足を防止する技術について記載されている。図２３は、特許文献１に記載の技術を用いた場合の、走査信号及び映像信号のタイミングチャートである。図２４は、特許文献１に記載の技術を用いた場合の、ドレイン端子の充電電圧の変化を示す図である。【００１３】
また、特許文献２には、図２６に示すように、画素電極の充電を行う際に、ＴＦＴのＯＮ、ＯＦＦを切り替える電圧以外にその間の中間電位を設定可能にし、消費電力を削減する技術について記載されている。図２６は、特許文献２に記載の技術を用いた場合の、走査信号及び映像信号のタイミングチャートである。【００１４】
また、図２７に示すように、ｎ番目の走査線に走査信号を供給する走査に重畳して、ｎ＋１番目の走査線に走査信号の供給を開始する技術も考案されている。これによって、図２８に示すように、走査期間Ｔｏｎ’を通常の走査期間Ｔｏｎよりも長く確保することができ、ゲート端子の到達電圧をよりＶｇｈに近づけることができる。図２７は、ｎ番目の走査線の走査期間に重畳してｎ＋１番目の走査線の走査を行う技術を用いた場合の、走査信号及び映像信号のタイミングチャートである。図２８は、ｎ番目の走査線の走査期間に重畳してｎ＋１番目の走査線の走査を行う技術を用いた場合の、ゲート端子の電圧の変化を示す図である。
【先行技術文献】
【特許文献】
【００１５】
【特許文献１】日本国公開特許公報「特開２００７−２４８５２６号公報（２００７年９月２７日公開）」
【特許文献２】日本国公開特許公報「特開２００３−１１４６５７号公報（２００３年４月１８日公開）」
【発明の概要】
【発明が解決しようとする課題】
【００１６】
しかし、特許文献１に記載されている技術は、予備充電の後に走査信号がＬレベルに戻るため、すなわち、連続した走査期間を長く確保することができる技術ではないため、図２５に示すように、ゲート電圧の到達不足を防止することはできない。図２５は、特許文献１に記載の技術を用いた場合の、ゲート端子の電圧の変化を示す図である。図２５に示すように、特許文献１に記載されている技術では、走査期間が短時間しか確保できないときに、ゲート端子の到達電圧不足に起因する画素電極の充電不足を防止することはできない。【００１７】
また、特許文献２に記載されている技術は、１つの走査線の走査期間の間に、走査信号の電圧を一定期間ＧＮＤに保ち、さらにＶｇｈまで遷移させ、また一定期間ＧＮＤに保つという工程を経る。このため、走査期間を短時間しか確保できない場合に、さらにハイレベルの電圧Ｖｇｈで走査線を走査する期間が短くなってしまう。したがって、特許文献２に記載されている技術では、走査期間が短時間しか確保できないときに、ゲート電圧の到達不足に起因する画素電極の充電不足をより顕著にしてしまう。【００１８】
また、図２９に、ｎ番目の走査線の走査期間に重畳してｎ＋１番目の走査線の走査を行う技術を用いた場合の、ドレイン端子の電圧の変化を示す。図２９に示すように、ｎ番目の走査に重畳してｎ＋１番目の走査を行う技術では、ｎ番目の走査の時点とｎ＋１番目の走査の時点とにおいて、映像信号の極性が同じ場合には有効であるが、映像信号の極性が異なる場合には効果がない。したがって、映像信号の極性によって、表示品質に差異が生じ、結果的に表示品質を低下させてしまう。【００１９】
なお、ゲート端子の到達電圧不足を防止するために、ＴＦＴのゲート端子に印加される走査信号の電圧を大きくすることが考えられる。しかし、ＴＦＴのゲート端子に印加される走査信号の電圧を大きくするためには、耐高電圧の駆動回路及びＴＦＴなどを用いる必要があり、コストが増大してしまうとういう問題がある。【００２０】
また、ゲート端子の到達電圧不足を防止するために、ＴＦＴのサイズを大きくすることが考えられる。しかし、ＴＦＴのサイズを大きくすると、表示パネルの配線の負荷が増大し、開口率が低下してしまうという問題があった。【００２１】
本発明は、上記の課題を解決するためになされたものであり、その主たる目的は、画素電極を高速で充電しなければならない場合にも、コストの増大及び開口率の低下を抑え、画素電極の充電不足を防止することができるドライバ装置を提供することにある。
【課題を解決するための手段】
【００２２】
本発明に係るドライバ装置は、上記の課題を解決するために、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、上記複数の走査線に順次走査信号を供給する走査線駆動回路と、上記複数の映像信号線に順次映像信号を供給する映像信号線駆動回路と、上記走査線駆動回路、及び、上記映像信号線駆動回路における信号の供給タイミングを制御するタイミング制御回路と、を備えたドライバ装置において、上記走査線駆動回路は、ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、上記ｎ番目の走査線の走査を終了した時点で上記ｎ＋ｍ番目の走査線に対して、上記ハイレベルの電圧を有する走査信号を供給する第２走査を実行することを特徴としている。【００２３】
また、本発明に係るドライバ装置の駆動方法は、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、上記複数の走査線に順次走査信号を供給する走査線駆動回路と、上記複数の映像信号線に順次映像信号を供給する映像信号線駆動回路と、上記走査線駆動回路、及び、上記映像信号線駆動回路における信号の供給タイミングを制御するタイミング制御回路と、を備えたドライバ装置における駆動方法であって、ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧と、ハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行する第１走査ステップと、上記ｎ番目の走査線の走査が終了した時点で、上記ｎ＋ｍ番目の走査線に対して上記ハイレベルの電圧を有する走査信号を供給する第２走査を実行する第２走査ステップとを含んでいる、ことを特徴としている。【００２４】
上記の構成によれば、上記ドライバ装置は、ｎ＋ｍ番目の走査線を走査する際に、上記第１走査において中間電位を有する走査信号を供給することによって、ｎ＋ｍ番目の走査線に接続されたＴＦＴのゲート電圧を、上記第２走査が開始されるよりも前の時点（すなわち、ｎ番目の走査線が走査されている時点）でＴＦＴがＯＮ状態になる前の電圧まで予め到達させておき、上記第２走査においてＴＦＴのゲート電圧をハイレベルの電圧まで到達させる。すなわち、上記第２走査におけるＴＦＴのゲート電圧の充電は、ローレベルの電圧からハイレベルの電圧まで到達させる必要はなく、ＴＦＴがＯＮ状態になる前の電圧からハイレベルの電圧まで到達させればよい。したがって、上記第２走査において、ｎ＋ｍ番目の走査線に接続されているＴＦＴのゲート電圧をハイレベルの電圧まで到達させるのに必要な期間を短縮することができる。これにより、上記第２走査を行う期間が短時間しか確保できない場合にも、ＴＦＴのゲート電圧をハイレベルの電圧まで到達させることができる。【００２５】
また、短時間でＴＦＴのゲート電圧をハイレベルの電圧まで到達させることができるため、ゲート到達電圧不足に起因する、ドレイン電圧の充電不足を防止することができる。すなわち、上記画素電極を高速で充電しなければならない場合に、当該画素電極の充電不足を防止することができる。【００２６】
さらに、ゲート到達電圧不足に起因する画素電極の充電不足を防止するために、ＴＦＴのゲート電極に印加される走査信号の電圧を大きくする必要がないため、耐高電圧の駆動回路及びＴＦＴなどを用いる必要がなく、コストを下げることができる。【００２７】
また、ゲート到達電圧不足に起因する画素電極の充電不足を防止するために、ＴＦＴのサイズを大きくする必要がないため、上記表示パネルの配線の負荷を低減し、開口率を向上させることができる。【００２８】
なお、上記画素電極を高速で充電しなければならない場合として、例えば、表示画面が大きい場合（すなわち、負荷が大きい場合）、高解像度が求められる場合、高フレームレートが求められる場合、及び、視差バリア方式の駆動などによって３Ｄ表示を行う場合などを挙げることができるが、これに限定されるものではない。
【発明の効果】
【００２９】
本発明に係るドライバ装置は、上記のように、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、上記複数の走査線に順次走査信号を供給する走査線駆動回路と、上記複数の映像信号線に順次映像信号を供給する映像信号線駆動回路と、上記走査線駆動回路、及び、上記映像信号線駆動回路における信号の供給タイミングを制御するタイミング制御回路と、を備えたドライバ装置において、上記走査線駆動回路は、ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、上記ｎ番目の走査線の走査を終了した時点で上記ｎ＋ｍ番目の走査線に対して、上記ハイレベルの電圧を有する走査信号を供給する第２走査を実行することを特徴としている。【００３０】
これにより、画素電極を高速で充電しなければならない場合にも、コストの増大及び開口率の低下を抑え、画素電極の充電不足を防止することができる。
【図面の簡単な説明】
【００３１】
【図１】本発明の一実施形態に係る表示装置の主要な構成を示すブロック図である。
【図２】図１に示す表示装置が備える走査線駆動回路の構成を示すブロック図である。
【図３】図１に示す表示装置が備える表示パネルの構成を示す図である。
【図４】図２に示す走査線駆動回路が備えるレベルシフタ群における走査信号の生成を示す波形図である。
【図５】２つの走査制御信号のレベルに対する走査信号の値を示す真理値表である。
【図６】図１に示す表示装置における、走査信号と映像信号との関係を示すタイミングチャートである。
【図７】第１走査及び第２走査における、ＴＦＴの各端子の充電電圧の変化を示す図である。
【図８】本発明の一実施形態の変形例における、走査信号と映像信号との関係を示すタイミングチャートである。
【図９】本発明の他の実施形態における、走査信号と映像信号との関係を示すタイミングチャートである。
【図１０】本発明のさらに他の実施形態における、走査信号と映像信号との関係を示すタイミングチャートである。
【図１１】本発明のさらに他の実施形態における、走査信号と映像信号との関係を示すタイミングチャートである。
【図１２】本発明のさらに他の実施形態における、走査信号と映像信号との関係を示すタイミングチャートである。
【図１３】本発明のさらに他の実施形態における、走査信号と映像信号との関係を示すタイミングチャートである。
【図１４】本発明のさらに他の実施形態における、走査信号と映像信号との関係を示すタイミングチャートである。
【図１５】ＴＦＴの半導体層が酸化物半導体、又は、ｐ−Ｓｉによって形成されている場合における、ドレイン電流Ｉｄのゲート−ソース間電圧Ｖｇｓに対する依存性と、ドレイン電流の平方根√Ｉｄのゲート−ソース間電圧Ｖｇｓに対する依存性とを示すグラフである。
【図１６】本発明のさらに他の実施形態における、走査信号と映像信号との関係を示すタイミングチャートである。
【図１７】本発明のさらに他の実施形態における、走査信号と映像信号との関係を示すタイミングチャートである。
【図１８】本発明のさらに他の実施形態の変形例における、走査信号と映像信号との関係を示すタイミングチャートである。
【図１９】各解像度及び走査線の本数を有する表示装置において各フレーム周波数で駆動した場合の、一走査線当たりの走査期間の一例を示す表である。
【図２０】解像度がＦｕｌｌＨＤである表示装置を駆動した場合の、画面サイズに対する走査線の抵抗、走査線の容量、及び、時定数の関係の一例を示す表である。
【図２１】一走査線当たりの走査期間が短時間しか確保できない場合において、従来の駆動方法を用いた場合の、走査信号及び映像信号の理想的な短波形のタイミングチャートである。
【図２２】走査期間Ｔｏｎにおける、ＴＦＴの各端子の充電電圧の変化を示す図である。
【図２３】特許文献１に記載の技術を用いた場合の、走査信号及び映像信号のタイミングチャートである。
【図２４】特許文献１に記載の技術を用いた場合の、ドレイン端子の充電電圧の変化を示す図である。
【図２５】特許文献１に記載の技術を用いた場合の、ゲート端子の電圧の変化を示す図である。
【図２６】特許文献２に記載の技術を用いた場合の、走査信号及び映像信号のタイミングチャートである。
【図２７】ｎ番目の走査線の走査期間に重畳してｎ＋１番目の走査線の走査を行う技術を用いた場合の、走査信号及び映像信号のタイミングチャートである。
【図２８】ｎ番目の走査線の走査期間に重畳してｎ＋１番目の走査線の走査を行う技術を用いた場合の、ゲート端子の電圧の変化を示す図である。
【図２９】ｎ番目の走査線の走査期間に重畳してｎ＋１番目の走査線の走査を行う技術を用いた場合の、ドレイン端子の電圧の変化を示す図である。
【発明を実施するための形態】
【００３２】
＜実施形態１＞
本発明の一実施形態に係るドライバ装置、ドライバ装置を備えた表示装置及びその駆動方法について、図１から図７を参照して説明する。但し、この実施形態に記載されている構成は、特に特定的な記載がない限り、この発明の範囲をそれのみに限定する趣旨ではなく、単なる説明例に過ぎない。
【００３３】
（表示装置の構成）
本実施形態に係る表示装置について、図１から図３を参照して説明する。まず、本実施形態に係る表示装置１の構成について、図１を参照して説明する。図１は、本実施形態に係る表示装置１の主要な構成を示すブロック図である。
【００３４】
図１に示すように、表示装置１は、タイミング制御回路１１、走査線駆動回路１２及び映像信号線駆動回路１３を備えるドライバ装置１０、電源回路１４、及び、表示パネル１５を備えている。
【００３５】
タイミング制御回路１１は、外部から送られる同期信号及びゲートクロック信号を取得し、表示パネル１５に映像を表示するための制御信号を出力する。具体的には、タイミング制御回路１１は、走査線駆動回路１２に対し、後述する走査制御信号、ゲートクロック信号、及び、ゲートスタートパルス信号を出力する。また、タイミング制御回路１１は、映像信号線駆動回路１３に対し、ソースクロック信号、ソーススタートパルス信号及びラッチストローブ信号を出力する。
【００３６】
走査線駆動回路１２は、タイミング制御回路１１から走査制御信号Ｇｓ１〜Ｇｓ４、ゲートクロック信号ＣＫ１、ＣＫ２、及び、ゲートスタートパルス信号ＳＰ１、ＳＰ２を取得する。走査線駆動回路１２は、取得した各信号に基づいて、表示パネル１５が備える走査線１５１に走査信号を供給する。
【００３７】
映像信号線駆動回路１３は、タイミング制御回路１１からソースクロック信号、ソーススタートパルス信号及びラッチストローブ信号を取得し、また、外部から入力された映像信号を取得する。映像信号線駆動回路１３は、取得した各信号に基づいて、表示パネル１５が備える映像信号線１５２に映像信号を供給する。
【００３８】
電源回路１４は、タイミング制御回路１１、走査線駆動回路１２、映像信号線駆動回路１３及び表示装置１が備える図示しない他の構成要素に対し、電力を供給する。
【００３９】
（表示パネルの構成）
次に、表示パネル１５の構成について、図３を参照して説明する。図３は、本実施形態に係る表示装置１が備える表示パネル１５の構成を示す図である。なお、本実施形態では、表示パネルが液晶表示パネルである場合を例に挙げて説明するが、これに限定されるものではなく、例えば、ＥＬディスプレイ、プラズマディスプレイなどであってもよい。
【００４０】
表示パネル１５は、図３に示すように、走査線１５１、映像信号線１５２、保持容量配線１５３、ＴＦＴ１５４、及び、画素電極１５５を備えるＴＦＴ基板と、対向電極Ｃｏｍとを備えている。また、表示パネル１５は、ＴＦＴ基板と対向電極Ｃｏｍとの間に液晶ＬＣを封入することにより形成された、液晶層を備えている。さらに、表示パネル１５は、カラーフィルタ、偏光板、配向膜（いずれも不図示）などを備えている。
【００４１】
また、表示パネル１５は、図３に示すように、走査線１５１及び映像信号線１５２により画定される画素領域１５６を備えている。
【００４２】
また、ＴＦＴ１５４のゲート端子は走査線１５１に接続され、ソース端子は映像信号線１５２に接続され、ドレイン端子は保持容量配線１５３に保持容量（不図示）を介して接続される。なお、説明の便宜上、ＴＦＴ１５４が備えている３端子のうち、ゲート端子以外の２端子について、映像信号線１５２に接続された端子をソース端子と呼び、保持容量配線１５３に保持容量を介して接続された端子をドレイン端子と呼ぶが、逆であっても良い。
【００４３】
なお、ＴＦＴ１５４の半導体層は、例えば、ａ−Ｓｉ（amorphous Silicon：非晶質シリコン）によって形成されていることが一般的であるが、これに限定されるものではない。
【００４４】
走査線１５１は、走査線駆動回路１２から供給された走査信号を、接続されたＴＦＴ１５４に供給する。また、映像信号線１５２は、映像信号線駆動回路１３から供給された映像信号を、接続されたＴＦＴ１５４を介して画素電極１５５に供給する。
【００４５】
（走査線駆動回路の構成）
次に、走査線駆動回路１２の詳細な構成について、図２を参照して説明する。図２は、本実施形態に係る表示装置１が備える走査線駆動回路１２の構成を示すブロック図である。
【００４６】
走査線駆動回路１２は、図２に示すように、走査駆動制御部１２１、シフトレジスタ群１２２、レベルシフタ群１２３、及び、出力回路部１２４を備えている。
【００４７】
走査駆動制御部１２１は、タイミング制御回路１１から供給された走査制御信号、ゲートクロック信号、及び、ゲートスタートパルス信号に基づいて、走査制御信号Ｇｓ１〜Ｇｓ４、ゲートクロック信号ＣＫ１、ＣＫ２、及び、ゲートスタートパルス信号ＳＰ１、ＳＰ２をシフトレジスタ群１２２へ出力する。
【００４８】
ゲートクロック信号ＣＫ１、ＣＫ２は、走査線１５１に走査信号を供給するタイミングを制御するゲートクロック信号である。２つのゲートクロック信号ＣＫ１及びＣＫ２によって走査信号を供給するタイミングを制御することにより、２本の走査線１５１に対して走査信号を供給するタイミングを独立して制御することができる。
【００４９】
走査制御信号Ｇｓ１〜Ｇｓ４は、走査線１５１に供給する走査信号の値を制御する制御信号である。ゲートスタートパルス信号ＳＰは、フレーム周期を制御するパルス信号である。
【００５０】
シフトレジスタ群１２２は、複数段のセット・リセット型のフリップフロップと、複数のスイッチ回路とを備えている。また、シフトレジスタ群１２２は、シフトレジスタ群１２２に走査制御信号Ｇｓ１〜Ｇｓ４を供給する。具体的には、シフトレジスタ群１２２は、ゲートスタートパルス信号ＳＰが入力されると、走査制御信号Ｇｓ１〜Ｇｓ４を、ゲートクロック信号ＣＫに応じて、シフトレジスタ群１２２からレベルシフタ群１２３に接続される各出力を通して供給する。
【００５１】
レベルシフタ群１２３は、複数のレベルシフタ回路を備えており、シフトレジスタ群１２２から供給された走査制御信号Ｇｓ１〜Ｇｓ４に基づいて、走査信号を生成する。なお、走査信号の生成については、図面をかえて後述する。生成された走査信号は、出力回路部１２４に供給される。
【００５２】
出力回路部１２４は、レベルシフタ群１２３から供給された走査信号を出力する手段であり、表示パネル１５が備える総数Ｎ（ただし、Ｎは自然数）本の走査線１５１に対して順次走査信号を出力する。
【００５３】
（走査信号の生成）
ここで、走査信号の生成について、図４及び図５を参照して説明する。図４は、レベルシフタ群１２３における走査信号の生成を示す波形図である。
【００５４】
図４に示すように、シフトレジスタ群１２２から供給された走査制御信号Ｇｓ１〜Ｇｓ４は、Ｈレベル（ハイレベル）の値とＬレベル（ローレベル）の値との２値を有する信号である。レベルシフタ群１２３は、走査制御信号Ｇｓ１、Ｇｓ２からｎ（ただし、ｎは０以外の整数であり、ｎ≦Ｎ）番目の走査線１５１に供給する走査信号Ｇｎを生成し、走査制御信号Ｇｓ３、Ｇｓ４からｎ＋１番目の走査線１５１に供給する走査信号Ｇ（ｎ＋１）を生成する。また、走査信号Ｇｎ、Ｇ（ｎ＋１）は、Ｖｇｌ、Ｖｇｌ’及びＶｇｈの３値を有する信号である。
【００５５】
図４の（ａ）は、走査制御信号Ｇｓ１のパルス波形を示しており、（ｂ）は、走査制御信号Ｇｓ２のパルス波形を示しており、（ｃ）は、走査制御信号Ｇｓ３のパルス波形を示しており、（ｄ）は、走査制御信号Ｇｓ４のパルス波形を示している。また、図４の（ｅ）は、走査制御信号Ｇｓ１及びＧｓ２に基づいて生成される走査信号Ｇｎのパルス波形を示し、（ｆ）は、走査制御信号Ｇｓ３及びＧｓ４に基づいて生成される走査信号Ｇ（ｎ＋１）のパルス波形を示している。
【００５６】
走査制御信号Ｇｓ１及びＧｓ２のレベルに対する走査信号Ｇｎの値を、図５に示す真理値表を参照して説明する。図５は、走査制御信号Ｇｓ１及びＧｓ２のレベルに対する走査信号Ｇｎの値を示す真理値表である。
【００５７】
図４及び図５に示すように、走査制御信号Ｇｓ１、Ｇｓ２が共にＬレベルである場合には、走査信号Ｇｎの値はＶｇｌになる。走査制御信号Ｇｓ１がＨレベル、走査制御信号Ｇｓ２がＬレベルである場合には、走査信号Ｇｎの値はＶｇｌ’になる。また、走査制御信号Ｇｓ１、Ｇｓ２が共にＨレベルである場合には、走査信号Ｇｎの値はＶｇｈになる。
【００５８】
また、図４に示すように、走査制御信号Ｇｓ３、Ｇｓ４が共にＬレベルである場合には、走査信号Ｇｎの値はＶｇｌになる。走査制御信号Ｇｓ３がＨレベル、走査制御信号Ｇｓ４がＬレベルである場合には、走査信号Ｇｎの値はＶｇｌ’になる。また、走査制御信号Ｇｓ３、Ｇｓ４が共にＨレベルである場合には、走査信号Ｇｎの値はＶｇｈになる。
【００５９】
なお、本実施形態において、ｎ＋２番目の走査線１５１に供給する走査信号Ｇ（ｎ＋２）は、走査制御信号Ｇｓ１及びＧｓ２によって生成されればよく、ｎ＋３番目の走査線１５１に供給する走査信号Ｇ（ｎ＋３）は、走査制御信号Ｇｓ３及びＧｓ４によって生成されればよい。
【００６０】
（ドライバ装置の動作）
次に、本実施形態に係る表示装置１が備えるドライバ装置１０における走査信号と映像信号との関係を、図６を参照して説明する。図６は、本実施形態に係るドライバ装置１０における、走査信号と映像信号との関係を示すタイミングチャートである。
【００６１】
図６に示すように、走査線駆動回路１２は、ｎ番目の走査線１５１を走査する走査信号Ｇｎに重畳して、値がＶｇｌ’である走査信号Ｇ（ｎ＋１）をｎ＋１番目の走査線１５１に供給する（第１走査）。また、走査線駆動回路１２は、ｎ番目の走査線１５１の走査が終了すると、値がＶｇｈである走査信号Ｇ（ｎ＋１）をｎ＋１番目の走査線１５１に供給する（第２走査）。つまり、走査信号の値は、図６に示すように、Ｖｇｌ→Ｖｇｌ’→Ｖｇｈ→Ｖｇｌの順に遷移を繰り返す。
【００６２】
なお、第１走査において供給される走査信号の値Ｖｇｌ’は、走査線１５１が走査されない期間におけるＬレベルの電圧Ｖｇｌと、第２走査において供給される走査信号のＨレベルの電圧Ｖｇｈとの中間電位である（以降、中間電位Ｖｇｌ’とも記載する）。また、中間電位Ｖｇｌ’は、ＴＦＴ１５４がＯＮ状態になるゲート電圧よりも小さい。
【００６３】
次に、図７に、第１走査及び第２走査における、ＴＦＴの各端子の充電電圧の変化を示す。図７は、第１走査及び第２走査における、ＴＦＴの各端子の充電電圧の変化を示す図である。
【００６４】
図７に示すように、ゲート電圧は、第１走査の期間（以降、第１走査期間とも呼称する）において、中間電位Ｖｇｌ’まで充電される。このとき、ソース電圧及びドレイン電圧は、ゲート電圧がＴＦＴ１５４がＯＮ状態になる電圧よりも低いため、Ｌレベルのままである。また、ゲート電圧は、第２走査の期間において、中間電位Ｖｇｌ’からＨレベルの電圧Ｖｇｈまで充電される。このとき、ゲート電圧がＶｇｈまで充電されることにより、ゲート端子の到達電圧不足に起因するドレイン電圧の充電不足を防止し、ドレイン電圧Ｖｄを、ソース電圧の値Ｖｓまで充電することができる。
【００６５】
上記の構成によれば、ドライバ装置１０は、ある走査線１５１を走査する際に、第１走査において中間電位Ｖｇｌ’を有する走査信号を供給する。これによって、走査信号が供給された走査線１５１に接続されたＴＦＴ１５４のゲート電圧を、第２走査が開始されるよりも前の時点でＴＦＴ１５４がＯＮ状態になる前の電圧まで予め到達させておくことができる。また、ドライバ装置１０は、第２走査においてＴＦＴ１５４のゲート電圧をハイレベルの電圧まで到達させる。すなわち、第２走査におけるＴＦＴ１５４のゲート電圧の充電は、Ｌレベルの電圧ＶｇｌからＨレベルの電圧Ｖｇｈまで到達させる必要はなく、ＴＦＴ１５４がＯＮ状態になる前の中間電位Ｖｇｌ’からＨレベルの電圧Ｖｇｈまで到達させればよい。したがって、第２走査においてＴＦＴ１５４のゲート電圧をＨレベルの電圧Ｖｇｈまで到達させるのに必要な期間を短縮することができる。これにより、第２走査を行う期間が短い場合にも、ＴＦＴ１５４のゲート電圧をＨレベルの電圧Ｖｇｈまで到達させることができる。
【００６６】
また、短時間でＴＦＴ１５４のゲート電圧をＨレベルの電圧Ｖｇｈまで到達させることができるため、ゲート端子の到達電圧不足に起因する、ドレイン電圧の充電不足を防止することができる。すなわち、画素電極を高速で充電しなければならない場合に、当該画素電極の充電不足を防止することができる。
【００６７】
さらに、ゲート端子の到達電圧不足に起因するドレイン電圧の充電不足を防止するために、ＴＦＴ１５４のゲート電極に印加される走査信号の電圧を大きくする必要がないため、耐高電圧の駆動回路及びＴＦＴ１５４などを用いる必要がなく、コストを下げることができる。
【００６８】
また、ゲート端子の到達電圧不足に起因するドレイン電圧の充電不足を防止するために、ＴＦＴ１５４のサイズを大きくする必要がないため、表示パネル１５の配線の負荷を低減し、開口率を向上させることができる。
【００６９】
なお、画素電極を高速で充電しなければならない場合として、例えば、表示画面が大きい場合（すなわち、負荷が大きい場合）、高解像度が求められる場合、高フレームレートが求められる場合、及び、視差バリア方式の駆動などによって３Ｄ表示を行う場合などを挙げることができるが、これに限定されるものではない。
【００７０】
さらに、中間電位Ｖｇｌ’は、Ｌレベルの電圧Ｖｇｌの値よりも大きい値から、映像信号が有する電圧の最小値Ｖｓｌよりも小さい値までの範囲の値であることが好ましい。
【００７１】
この構成によれば、ゲート−ソース間電圧Ｖｇｓが０Ｖ以下（Ｖｇｓ≦０Ｖ（Ｖｇｌ’＜Ｖｓｌ））となる。なお、ＴＦＴ１５４が、一般的な表示装置の画素の駆動に用いられるＴＦＴ特性を示す場合には、Ｖｇｓ≦０Ｖである時、ソース−ドレイン間が高抵抗（すなわち、ＴＦＴ１５４はＯＦＦ状態）である。このため、中間電位Ｖｇｌ’が映像信号の有する電圧の最小値Ｖｓｌよりも小さい値であるときには、第１走査において画素電極１５５の電圧が大きく変化することを防ぎ、表示品質の低下を抑制することができる。
【００７２】
＜変形例＞
本実施形態において、各走査線１５１を走査する際に、第２走査を行う前に第１走査を行うことによって、画素電極１５５の充電不足を防止する構成を例に挙げて説明したが、本発明は、これに限定されるものではない。例えば、第１走査及び第２走査を含む走査を本走査とすると、本走査を行う前に、さらに各走査線１５１を走査することで画素電極１５５の予備充電を行う予備走査を行ってもよい。予備走査を行うことによって、各走査線１５１は、１フレーム期間内に予備走査及び本走査の２回、走査されることになる。
【００７３】
予備走査により画素電極１５５に充電された電荷は予備走査が終了した時点から放電が始まるが、完全に電荷が放電される前に本走査が行われれば、本走査では、予備走査において充電された電圧より放電された分だけ低下した電圧から、画素電極１５５の充電を開始することができる。これによって、本走査において画素電極１５５を充電するのに必要な期間を、予備走査を行わない場合と比較して、短縮することができる。
【００７４】
（ドライバ装置の動作）
本変形例では、本走査を行う前に各走査線１５１を走査する予備走査を行う構成について、図８を参照して説明する。図８は、本変形例に係るドライバ装置１０における走査信号と映像信号との関係を示すタイミングチャートである。
【００７５】
本変形例に係るドライバ装置１０に備えられている走査線駆動回路１２は、図８に示すように、ｎ番目の走査線１５１を走査する第１走査及び第２走査を含む本走査を実行する前に、ｎ番目の走査線１５１に対して走査信号を供給する予備走査を実行する。
【００７６】
図８に示すように、予備走査は、ｎ番目の走査線１５１の予備走査に重畳してｎ番目の走査線１５１の予備走査が終了する時点までｎ＋１番目の走査線１５１を予備走査する第１予備走査と、ｎ番目の走査線１５１に対する予備走査が終了した時点でｎ＋１番目の走査線１５１の予備走査を実行する第２予備走査とを含んでいる。
【００７７】
なお、第１予備走査において供給される予備走査信号の値は、第１走査における値と同じく、中間電位Ｖｇｌ’であり、第２予備走査において供給される予備走査信号の値は、ハイレベルの電圧Ｖｇｈであればよい。
【００７８】
（タイミング制御回路の構成）
なお、予備走査信号を生成するため、本変形例に係るドライバ装置１０が備えているタイミング制御回路１１は、外部から送られる同期信号、ゲートクロック信号、及び、後述する予備走査のタイミングを制御するための予備走査制御信号を取得し、表示パネル１５に映像を表示するための制御信号を出力すればよい。具体的には、タイミング制御回路１１は、走査線駆動回路１２に対し、後述する走査制御信号、ゲートクロック信号、ゲートスタートパルス信号、及び、予備走査制御信号を出力する。また、タイミング制御回路１１は、映像信号線駆動回路１３に対し、ソースクロック信号、ソーススタートパルス信号及びラッチストローブ信号を出力する。
【００７９】
走査線駆動回路１２は、タイミング制御回路１１から走査制御信号Ｇｓ１〜Ｇｓ４、ゲートクロック信号ＣＫ１、ＣＫ２、ゲートスタートパルス信号ＳＰ１、ＳＰ２、及び、予備走査制御信号を取得し、取得した各信号に基づいて、表示パネル１５が備える走査線１５１に走査信号、及び、予備走査信号を供給すればよい。
【００８０】
（走査線駆動回路の構成）
本変形例に係るドライバ装置１０の走査線駆動回路１２が備える走査駆動制御部１２１は、タイミング制御回路１１から供給された走査制御信号、ゲートクロック信号、ゲートスタートパルス信号、及び、予備走査制御信号に基づいて、走査制御信号Ｇｓ１〜Ｇｓ４、ゲートクロック信号ＣＫ１、ＣＫ２、ゲートスタートパルス信号ＳＰ１、ＳＰ２、及び、予備走査制御信号をシフトレジスタ群１２２へ出力する。
【００８１】
シフトレジスタ群１２２は、複数段のセット・リセット型のフリップフロップと、複数のスイッチ回路とを備えている。また、シフトレジスタ群１２２は、シフトレジスタ群１２２に走査制御信号Ｇｓ１〜Ｇｓ４を供給する。具体的には、シフトレジスタ群１２２は、ゲートスタートパルス信号ＳＰが入力されると、走査制御信号Ｇｓ１〜Ｇｓ４を、ゲートクロック信号ＣＫに応じて、シフトレジスタ群１２２からレベルシフタ群１２３に接続される各出力を通して供給する。また、シフトレジスタ群１２２は、ゲートスタートパルス信号ＳＰが入力されると、予備走査制御信号を、ゲートクロック信号ＣＫに応じて、シフトレジスタ群１２２からレベルシフタ群１２３に接続される各出力を通して供給する。
【００８２】
レベルシフタ群１２３は、複数のレベルシフタ回路を備えており、シフトレジスタ群１２２から供給された走査制御信号Ｇｓ１〜Ｇｓ４に基づいて、走査信号を生成する。また、レベルシフタ群１２３は、シフトレジスタ群１２２から供給された予備走査制御信号に基づいて、予備走査信号を生成する。
【００８３】
例えば、予備走査制御信号は、走査制御信号と同様に４つの信号を含んでいてもよい。この場合、レベルシフタ群１２３は、図４に示す走査信号の生成と同様にして、４つの信号のうち、２つの信号からｎ番目の走査線１５１に供給する予備走査信号を生成し、他の２つの信号からｎ＋１番目の走査線１５１に供給する予備走査信号を生成すればよい。なお、予備走査信号は、走査信号と同様、Ｖｇｌ、Ｖｇｌ’及びＶｇｈの３値を有する信号である。
【００８４】
また、レベルシフタ群１２３は、生成された同じ走査線１５１を走査する走査信号及び予備走査信号を１つの走査信号に合成し（以降、合成走査信号とも呼称する）、出力回路部１２４に供給する。
【００８５】
出力回路部１２４は、レベルシフタ群１２３から供給された合成走査信号を出力する手段であり、表示パネル１５が備える走査線１５１に対して順次合成走査信号を出力する。
【００８６】
なお、レベルシフタ群１２３において、生成された同じ走査線１５１を走査する走査信号及び予備走査信号を、１つの走査信号に合成して出力回路部１２４から出力する場合を例に挙げて説明したが、これに限定されるものではない。例えば、レベルシフタ群１２３において生成された同じ走査線１５１を走査する走査信号及び予備走査信号を、各々独立して出力回路部１２４から出力する構成を採用してもよい。
【００８７】
なお、走査線１５１に予備走査信号が供給されるタイミングは、次に本走査が実行される時点で映像信号線１５２に供給される映像信号の極性と同じ極性を有する映像信号が、本走査の前に映像信号線１５２に供給されるタイミングと同じであることがより好ましい。
【００８８】
上記の構成によれば、予備走査によって走査された走査線１５１に接続されているＴＦＴ１５４が、本走査の前に一定期間だけＯＮ状態になるため、ＴＦＴ１５４のドレイン端子に接続されている画素電極１５５に充電される電圧を、現在充電されている電圧から、本走査が実行される時点で充電される電圧に、予め近づけておくことができる。これによって、画素電極１５５の充電電圧をソース電圧Ｖｓまで到達させるまでの時間を短縮することができるため、画素電極１５５の充電不足をさらに防止することができる。
【００８９】
なお、本実施形態においては、ｎ番目の走査線１５１に対する予備走査に重畳してｎ＋１番目の走査線１５１に対する第１予備走査を行い、ｎ番目の走査線１５１に対する予備走査が終了した時点からｎ＋１番目の走査線１５１に対する第２予備走査を行う場合を例に挙げて説明したが、本発明は、これに限定されるものではない。例えば、ｎ番目の走査線１５１に対する予備走査に重畳してｎ＋ｍ番目の走査線１５１に対する第１予備走査を行い、ｎ番目の走査線１５１に対する予備走査が終了した時点からｎ＋ｍ番目の走査線１５１に対する第２予備走査を行えばよい。
【００９０】
＜実施形態２＞
実施形態１において、ｎ番目の走査線１５１の走査に重畳してｎ＋１番目の走査線１５１の第１走査を実行し、ｎ番目の走査線１５１の走査が終了した時点でｎ＋１番目の走査線１５１の第２走査を実行する構成を例に挙げて説明したが、本発明は、これに限定されるものではない。例えば、ｎ番目の走査線１５１の走査に重畳してｎ＋ｍ（ただし、ｍは０以外の整数）番目の走査線１５１の第１走査を実行し、ｎ番目の走査線１５１の走査が終了した時点でｎ＋ｍ番目の走査線１５１の第２走査を実行してもよい。
【００９１】
本実施形態では、ｍ＝２である場合について、図９を参照して説明する。図９は、実施形態２における、走査信号と映像信号との関係を示すタイミングチャートである。
【００９２】
図９に示すように、走査線駆動回路１２は、ｎ番目の走査線１５１を走査する走査信号Ｇｎに重畳して、値がＶｇｌ’である走査信号Ｇ（ｎ＋２）をｎ＋２番目の走査線１５１に供給する第１走査を実効する。また、走査線駆動回路１２は、ｎ番目の走査線１５１の走査が終了すると、値がＶｇｈである走査信号Ｇ（ｎ＋２）をｎ＋２番目の走査線１５１に供給する第２走査を実行する。
【００９３】
このような場合には、レベルシフタ群１２３において、ｎ番目の走査線１５１の走査に重畳してｎ＋ｍ番目の走査線１５１に中間電位Ｖｇｌ’を供給し、ｎ番目の走査線１５１の走査が終了した時点でｎ＋ｍ番目の走査線１５１にＨレベルＶｇｈを供給する走査信号を生成すればよい。
【００９４】
＜実施形態３＞
実施形態１において、映像信号の極性に係わらず、ｎ番目の走査線１５１の走査に重畳してｎ＋１番目の走査線１５１の第１走査を実行する構成を例に挙げて説明したが、本発明は、これに限定されるものではない。例えば、供給される映像信号の極性が反転する場合に限って、第１走査を実行する構成を採用してもよい。
【００９５】
本実施形態では、供給される映像信号の極性が反転する場合に、ｎ番目の走査線の走査に重畳して第１走査を行い、映像信号の極性が反転しない場合には、ｎ番目の走査線の走査が終了した時点から第２走査のみを行う構成について、図１０を参照して説明する。図１０は、本実施形態における、走査信号と映像信号との関係を示すタイミングチャートである。
【００９６】
図１０に示すように、本実施形態に係るドライバ装置１０が備える映像信号線駆動回路１３から供給される映像信号Ｓ１の極性は、ｎ番目の走査線１５１の走査から、ｎ＋１番目の走査線１５１の走査に遷移する時点において、正極性から負極性に変化する。また、ｎ＋２番目の走査線１５１の走査から、ｎ＋３番目の走査線１５１の走査に遷移する時点において、映像信号Ｓ１の極性が、負極性から正極性に変化する。これに対し、ｎ＋１番目の走査線１５１の走査から、ｎ＋２番目の走査線１５１の走査に遷移する時点においては、映像信号Ｓ１の極性は変化しない。
【００９７】
走査線駆動回路１２は、ｎ番目の走査線１５１の走査から、ｎ＋１番目の走査線１５１の走査に遷移する場合、図１０に示すように、ｎ番目の走査線１５１の走査に重畳して第１走査を実行し、ｎ番目の走査線１５１の走査が終了した時点で第２走査を開始する。また、走査線駆動回路１２は、ｎ＋２番目の走査線１５１の走査から、ｎ＋３番目の走査線１５１の走査に遷移する場合、ｎ番目の走査線１５１の走査に重畳して第１走査を実行し、ｎ番目の走査線１５１の走査が終了した時点で第２走査を開始する。これに対し、ｎ＋１番目の走査線１５１の走査が行われている期間は第１走査を実行せず、ｎ＋１番目の走査線１５１の走査が終了した時点で第２走査を実行する。
【００９８】
上述の構成のように、映像信号線１５２に供給される映像信号Ｓ１の極性が反転しない場合には、第１走査を実行する必要がない。これは、映像信号Ｓ１の極性が反転する場合には、負極性から正極性、又は、正極性から負極性まで画素電極１５５を充電しなければならないが、極性が反転しない場合には、画素電極１５５を同じ極性に充電すればよいためである。
【００９９】
これによって、極性が反転する場合と、極性が反転しない場合とで異なる、画素電極１５５の充電に必要な時間の差を、小さくすることができる。映像信号Ｓ１の極性の反転と非反転とを繰り返す駆動方法としては、例えば、ｎドット反転駆動を挙げることができるが、これに限定されるものではない。
【０１００】
＜実施形態４＞
実施形態１において、第１走査において供給される中間電位Ｖｇｌ’が、Ｌレベルの電圧Ｖｇｌと、Ｈレベルの電圧Ｖｇｈとの中間電位である場合を例に挙げて説明したが、本発明は、これに限定されるものではない。例えば、中間電位Ｖｇｌ’が接地電位、すなわち、中間電位Ｖｇｌ’＝０Ｖである構成を採用してもよい。
【０１０１】
本実施形態においては、中間電位Ｖｇｌ’が接地電位である場合について、図１１を参照して説明する。図１１は、本実施形態における、走査信号と映像信号との関係を示すタイミングチャートである。
【０１０２】
図１１に示すように、本実施形態に係るドライバ装置１０が備える走査線駆動回路１２から第１走査が行われる第１走査期間に供給される走査信号の値はＧＮＤ（接地電位：０Ｖ）になる。
【０１０３】
この構成によれば、中間電位Ｖｇｌ’が０Ｖであるため、第１走査を実行する際に、新たな電源回路を設ける必要がないため、コストを下げることができる。また、中間電位Ｖｇｌ’が０Ｖであることから、低消費電力で駆動させることができるため、消費電力を削減することができる。
【０１０４】
＜実施形態５＞
実施形態１において、第１走査期間が一定である場合を例に挙げて説明したが、本発明は、これに限定されるものではなく、走査線１５１毎に第１走査期間が任意に変更可能であであってもよい。例えば、映像信号の極性が反転する場合に第１走査期間を長くし、映像信号の極性が反転しない場合に第１走査期間を短くする構成を採用してもよい。
【０１０５】
本実施形態では、映像信号の極性が反転する場合に第１走査期間を長くし、映像信号の極性が反転しない場合に第１走査期間を短くする構成について、図１２を参照して説明する。図１２は、本実施形態における、走査信号と映像信号との関係を示すタイミングチャートである。
【０１０６】
図１２に示すように、本実施形態に係るドライバ装置１０が備える映像信号線駆動回路１３から供給される映像信号Ｓ１の極性は、ｎ番目の走査線１５１の走査から、ｎ＋１番目の走査線１５１の走査に遷移する時点において、正極性から負極性に変化する。また、ｎ＋２番目の走査線１５１の走査から、ｎ＋３番目の走査線１５１の走査に遷移する時点において、映像信号Ｓ１の極性が、負極性から正極性に変化する。これに対し、ｎ＋１番目の走査線１５１の走査から、ｎ＋２番目の走査線１５１の走査に遷移する時点においては、映像信号Ｓ１の極性は変化しない。
【０１０７】
走査線駆動回路１２は、図１２に示すように、ｎ番目の走査線１５１を走査する場合には、短期間ｔ１だけ第１走査を実行し、第１走査が終了した時点で第２走査を開始する。また、ｎ番目の走査線１５１の走査からｎ＋１番目の走査線１５１の走査に遷移する場合、ｎ番目の走査線１５１の走査に重畳して長期間ｔ２だけ第１走査を実行し、第１走査が終了した時点で第２走査を開始する。また、ｎ＋１番目の走査線１５１の走査からｎ＋２番目の走査線１５１の走査に遷移する場合、ｎ＋１番目の走査線１５１の走査に重畳して短期間ｔ１だけ第１走査を実行し、第１走査が終了した時点で第２走査を開始する。
【０１０８】
なお、第１走査期間を走査線１５１毎に変更する場合には、走査線駆動回路１２に備えられるレベルシフタ群１２３は、シフトレジスタ群１２２から供給された走査制御信号に基づいて、各走査線１５１の走査に対応した長さの第１走査を有する走査信号を生成すればよい。
【０１０９】
レベルシフタ群１２３において第１走査期間の長い走査信号を生成する場合には、走査制御信号Ｇｓ１（又は走査制御信号Ｇｓ３）がＨレベルであって、走査制御信号Ｇｓ２（又は走査制御信号Ｇｓ４）がＬレベルである期間が長ければよい。また、第１走査期間の短い走査信号を生成する場合には、走査制御信号Ｇｓ１（又は走査制御信号Ｇｓ３）がＨレベルであって、走査制御信号Ｇｓ２（又は走査制御信号Ｇｓ４）がＬレベルである期間が短ければよい。
【０１１０】
なお、ある走査線１５１に対する第１走査と第２走査とにおいて、映像信号Ｓ１の極性が反転するか否かについては、予め判明している。したがって、第１走査期間の長さの制御について、走査線駆動回路１２は、予め判明している、第１走査から第２走査に遷移する時点で映像信号Ｓ１の極性が反転するか否かの情報（以降、極性反転情報とも呼称する）に基づき、走査制御信号Ｇｓ１〜Ｇｓ４の信号のレベルを制御すれば良い。
【０１１１】
この構成によれば、走査線駆動回路１２は、第１走査の走査期間が長時間必要な、映像信号の極性が反転する場合に、第１走査を長期間行うことができる。また、走査線駆動回路１２は、第１走査の走査期間が短時間しか必要ない、映像信号の極性が反転しない場合に、第１走査を短期間だけ行うことができる。
【０１１２】
これによって、画素電極１５５の充電不足を防止することができると共に、画素電極１５５の充電電圧のばらつきを抑えることができる。
【０１１３】
＜変形例＞
実施形態１において、各走査線１５１に対する第１走査の中間電位が一定である場合を例に挙げて説明したが、本発明は、これに限定されるものではなく、走査線１５１毎に第１走査の中間電位の値が任意に変更可能であってもよい。例えば、映像信号の極性が反転する場合に中間電位の値を大きくし、映像信号の極性が反転しない場合に中間電位の値を小さくする構成を採用してもよい。
【０１１４】
本実施形態では、映像信号の極性が反転する場合に中間電位の値を大きくし、映像信号の極性が反転しない場合に中間電位の値を小さくする構成について、図１３を参照して説明する。図１３は、本実施形態における、走査信号と映像信号との関係を示すタイミングチャートである。
【０１１５】
図１３に示すように、本実施形態に係るドライバ装置１０が備える映像信号線駆動回路１３から供給される映像信号Ｓ１の極性は、ｎ番目の走査線１５１の走査から、ｎ＋１番目の走査線１５１の走査に遷移する時点において、正極性から負極性に変化する。また、映像信号Ｓ１の極性は、ｎ＋２番目の走査線１５１の走査から、ｎ＋３番目の走査線１５１の走査に遷移する時点において、負極性から正極性に変化する。これに対し、ｎ＋１番目の走査線１５１の走査から、ｎ＋２番目の走査線１５１の走査に遷移する時点においては、映像信号Ｓ１の極性は変化しない。
【０１１６】
走査線駆動回路１２は、図１３に示すように、ｎ番目の走査線１５１を走査する場合には、第１走査において、小さい値の中間電位Ｖｇｌ”を有する走査信号を供給し、第１走査が終了した時点で第２走査を開始する。また、ｎ番目の走査線１５１の走査からｎ＋１番目の走査線１５１の走査に遷移する場合、ｎ番目の走査線１５１の走査に重畳して大きい値の中間電位Ｖｇｌ’を有する走査信号を供給する第１走査を実行し、第１走査が終了した時点で第２走査を開始する。また、ｎ＋１番目の走査線１５１の走査からｎ＋２番目の走査線１５１の走査に遷移する場合、ｎ＋１番目の走査線１５１の走査に重畳して小さい値の中間電位Ｖｇｌ”を有する走査信号を供給する第１走査を実行し、第１走査が終了した時点で第２走査を開始する。
【０１１７】
なお、第１走査の中間電位を走査線１５１毎に変更する場合には、走査線駆動回路１２に備えられるレベルシフタ群１２３は、シフトレジスタ群１２２から供給された走査制御信号、及び、映像信号Ｓ１の極性反転情報に基づいて、中間電位Ｖｇｌ’、Ｖｇｌ”の何れの中間電位を生成するかを選択すれば良い。
【０１１８】
より具体的には、走査線駆動回路１２に備えられるレベルシフタ群１２３は、第１走査と、第２走査とで、映像信号Ｓ１の極性が同一である場合には、第１走査の中間電位としてＶｇｌ”を選択し、値の小さい中間電位の走査信号を生成すればよい。また、走査線駆動回路１２に備えられるレベルシフタ群１２３は、第１走査と、第２走査とで、映像信号Ｓ１の極性が反転する場合には、第１走査の中間電位としてＶｇｌ’を選択し、値の大きい中間電位の走査信号を生成すればよい。
【０１１９】
この構成によれば、走査線駆動回路１２は、第１走査において値の大きな中間電位が必要な、映像信号の極性が反転する場合に、値の大きな中間電位によって第１走査を行うことができる。また、走査線駆動回路１２は、第１走査において値の小さな中間電位が必要な（値の大きな中間電位が必要ない）、映像信号の極性が反転しない場合に、値の小さな中間電位によって第１走査を行うことができる。
【０１２０】
これによって、画素電極１５５の充電不足を防止することができると共に、画素電極１５５の充電電圧のばらつきを抑えることができる。
【０１２１】
＜実施形態６＞
実施形態１において、第２走査において供給される電圧の値が一定（Ｈレベルの電圧Ｖｇｈ）である場合を例に挙げて説明したが、本発明は、これに限定されるものではない。例えば、第２走査を終了する前に、第２走査において供給される電圧を、ハイレベルの電圧Ｖｇｈから傾斜するように所定の値まで低下させる構成を採用してもよい。
【０１２２】
本実施形態では、走査線駆動回路１２が、第２走査を終了する前に、第２走査において供給される電圧を、ハイレベルの電圧Ｖｇｈから傾斜するように低下させる構成について、図１４を参照して説明する。図１４は、本実施形態における、走査信号と映像信号との関係を示すタイミングチャートである。
【０１２３】
図１４に示すように、走査線駆動回路１２は、第２走査を終了する前に、第２走査において供給される電圧を、ハイレベルの電圧Ｖｇｈから傾斜するように低下させることによって、走査信号の立ち下がりをなまらせている。
【０１２４】
なお、第２走査において供給される電圧を、ハイレベルの電圧Ｖｇｈから傾斜するように低下させるため、出力回路部１２４は、さらに、走査信号の立ち下がりスピードを制御できるスルーレイトコントロール回路を備えていればよい。
【０１２５】
スルーレイトコントロール回路は、等価的には、走査線駆動回路１２の各出力のインピーダンスを制御する出力インピーダンス制御素子である。スルーレイトコントロール回路は、走査線１５１に出力される走査線の立ち下がり時のみに出力インピーダンスを増加させ、走査線駆動回路１２の出力波形そのものをなまらせる。
【０１２６】
この構成によれば、第２走査における走査信号の値を、ハイレベルの電圧Ｖｇｈから傾斜するように低下させるため、画素電極１５５の充電不足を防止すると共に、走査信号を急峻に立ち下がらないようにすることが可能となる。これにより、ＴＦＴ１５４のゲート−ドレイン間の寄生容量に起因する画素電極１５５の充電電圧の低下（いわゆる、レベルシフト）を低減することができる。したがって、表示される画像におけるフリッカや表示劣化（焼き付け残像等の表示不具合を含む）が生じることを回避することができる。
【０１２７】
＜実施形態７＞
〔ＴＦＴ〕
実施形態１において、ＴＦＴ１５４の半導体層をａ−Ｓｉによって形成している場合を例に挙げて説明したが、本発明は、これに限定されるものではない。例えば、ＴＦＴ１５４の半導体層は、酸化物半導体、又は、ｐ−Ｓｉによって形成されることが、より好ましい。
【０１２８】
本実施形態では、ＴＦＴ１５４の半導体層が、酸化物半導体、又は、ｐ−Ｓｉ（Polycrystalline Silicon：多結晶シリコン）によって形成される場合について、図１５及び図１６を参照して説明する。
【０１２９】
図１５は、ＴＦＴ１５４の半導体層が酸化物半導体、又は、ｐ−Ｓｉによって形成されている場合における、ドレイン電流Ｉｄのゲート−ソース間電圧Ｖｇｓに対する依存性と、ドレイン電流の平方根√Ｉｄのゲート−ソース間電圧Ｖｇｓに対する依存性とを示すグラフである。また、図１６は、本実施形態における、走査信号と映像信号との関係を示すタイミングチャートである。
【０１３０】
図１５において、（ａ）及び（ｂ）は、半導体層が酸化物半導体によって形成されている場合のＶｇｓ−Ｉｄ特性、及び、Ｖｇｓ−√Ｉｄ特性を示す。図１５の（ｃ）及び（ｄ）は、半導体層がｐ−Ｓｉによって形成されている場合のＶｇｓ−Ｉｄ特性、及び、Ｖｇｓ−√Ｉｄ特性を示す。図１５の（ｅ）及び（ｆ）は、半導体層がａ−Ｓｉ（一般的なＴＦＴに用いられている半導体）によって形成されている場合のＶｇｓ−Ｉｄ特性、及び、Ｖｇｓ−√Ｉｄ特性を示す。
【０１３１】
図１５に示すように、半導体層が酸化物半導体又はｐ−Ｓｉによって形成されている場合、ａ−Ｓｉによって形成されている場合と比較して、ゲート−ソース間電圧Ｖｇｓ＝０Ｖであるときのドレイン電流Ｉｄの値が小さくなる。また、ゲート−ソース間電圧Ｖｇｓ＜０Ｖである範囲において、半導体層がａ−Ｓｉによって形成されている場合、ドレイン電流Ｉｄの値は、ゲート−ソース間電圧Ｖｇｓが０Ｖより小さくなるほど値が大きくなるが、半導体層が酸化物半導体又はｐ−Ｓｉによって形成されている場合、ドレイン電流Ｉｄの値は安定している。
【０１３２】
また、図１６に示すように、第１走査期間中にソース端子に印加される映像信号の大きさは、１フレーム毎に異なる。例えば、ソース端子に印加される電圧が、図１６の（ａ）に示すように、映像信号が有する電圧の最小値Ｖｓｌである場合（すなわち、Ｖｇｓ＝−（Ｖｓｌ−Ｖｇｌ’）≒０Ｖ）があれば、（ｂ）に示すように、映像信号が有する電圧の最大値Ｖｓｈである場合（すなわち、Ｖｇｓ＝−（Ｖｓｈ−Ｖｇｌ’）＜０Ｖ）もある。
【０１３３】
半導体層がａ−Ｓｉによって形成されている場合、図１６の（ａ）に示されるＶｇｓ≒０Ｖの時点では、図１５から、ドレイン電流Ｉｄの値が大きくなり、図１６の（ｂ）に示されるＶｇｓ＜０Ｖの時点では、ドレイン電流Ｉｄの値が安定しない。したがって、図１６の（ａ）の時点と、（ｂ）の時点とで、ドレイン電流Ｉｄの値が異なってしまう。
【０１３４】
これに対し、半導体層が酸化物半導体又はｐ−Ｓｉによって形成されている場合、図１６の（ａ）に示されるＶｇｓ≒０Ｖの時点では、図１５から、ドレイン電流Ｉｄの値は略０Ｖであり、図１６の（ｂ）に示されるＶｇｓ＜０Ｖの時点では、ドレイン電流Ｉｄの値は安定しており、略０Ｖである。したがって、図１６の（ａ）の時点と、（ｂ）の時点とで、ドレイン電流Ｉｄの値が略同一となる。
【０１３５】
したがって、ＴＦＴ１５４の半導体層を酸化物半導体、又は、ｐ−Ｓｉによって形成している場合、ａ−Ｓｉによって形成している場合と比較して、ＴＦＴ１５４のゲート−ソース間電圧Ｖｇｓ≦０Ｖにおけるドレイン電流の値が小さく、かつ、一定に近い値をとる。すなわち、ＴＦＴ１５４の半導体層を酸化物半導体、又は、ｐ−Ｓｉによって形成することにより、Ｖｇｓ≦０Ｖにおいて、ゲート−ソース間の電圧の差の影響を受けにくいＴＦＴ１５４を形成することができる。これにより、画素電極１５５の電位の変動を小さくすることができるため、表示品質を向上させることができる。
【０１３６】
なお、ＴＦＴ１５４の半導体層を形成する酸化物半導体としては、例えば、ＩＧＺＯ（In-Ga-Zn-O：酸化インジウム・ガリウム・亜鉛）、ＺｎＯ（酸化亜鉛）などを挙げることができるが、これに限定されるものではない。
【０１３７】
＜実施形態８＞
実施形態１の変形例において、本走査を行う前に、さらに各走査線１５１を走査する予備走査を行う構成を例に挙げて説明したが、本発明は、これに限定されるものではない。例えば、本走査を行う前に行った予備走査を、さらに本走査が開始されるまで継続する構成を採用してもよい。
【０１３８】
本実施形態では、本走査を行う前に行った予備走査を、本走査が開始されるまで継続する構成について、図１７を参照して説明する。図１７は、本実施形態における、走査信号と映像信号との関係を示すタイミングチャートである。
【０１３９】
図１７に示すように、走査線駆動回路１２は、まず、ｎ番目の走査線１５１の予備走査において、ハイレベルの電圧Ｖｇｈの予備走査信号を供給する第２予備走査を行う。次に、走査線駆動回路１２は、中間電位Ｖｇｌ’の予備走査信号を供給する第１予備走査を行い、第１予備走査を、本走査における第１走査を開始するまで継続する。
【０１４０】
第１走査が開始されるまで継続される第１予備走査を行う際に供給される予備走査信号を、レベルシフタ群１２３において生成するため、レベルシフタ群１２３に供給される予備走査制御信号は、第１予備走査期間を決定する第１予備走査制御信号と、第２予備走査期間を決定する第２予備走査制御信号とを含んでいればよい。なお、第１予備走査制御信号は、第２予備走査が開始される時点から、第１走査が開始される時点まで、Ｈレベルを保ち、第１走査が開始される時点でＬレベルになる。
【０１４１】
具体的には、レベルシフタ群１２３は、第１予備走査制御信号と第２予備走査制御信号とがＬレベルからＨレベルになった時点から、第１予備走査制御信号がＨレベルを保持しており第２予備走査制御信号がＬレベルになるまでの期間、第２予備走査を行う際に供給される予備走査信号を生成する。また、レベルシフタ群１２３は、第１予備走査制御信号がＨレベルを保持しており第２予備走査制御信号がＬレベルになった時点から、第１予備走査制御信号がＬレベルになる（すなわち、走査制御信号Ｇｓ１又はＧｓ３がＨレベルになる）までの期間、第１予備走査を行う際に供給される予備走査信号を生成する。
【０１４２】
もちろん、第１予備走査において供給される中間電位Ｖｇｌ’は、ＴＦＴ１５４がＯＮ状態になるゲート電圧の値よりも小さい。
【０１４３】
なお、第２予備走査が行われる期間は、本走査が行われる時点で映像信号線１５２に供給される映像信号の極性と同じ極性を有する映像信号が供給される期間内であることがより好ましい。
【０１４４】
この構成によれば、まず、第２予備走査によって走査された走査線１５１に接続されているＴＦＴ１５４がＯＮ状態になるため、ＴＦＴ１５４のドレイン端子に接続されている画素電極に充電される電圧を、現在充電されている電圧から、本走査が実行される時点で充電される電圧に予め近づけておくことができる。さらに、第１走査が開始されるまで第１予備走査を継続することにより、ＴＦＴ１５４のゲート電圧を、第２走査が開始される前に、ＴＦＴがＯＮ状態になる直前の電圧まで予め到達させておくことができる。これにより、第２走査を行う期間が短い場合にも、ＴＦＴ１５４のゲート電圧を、画素電極を充電するのに充分なハイレベルの電圧まで昇圧することができる。
【０１４５】
＜変形例＞
実施形態１の変形例において、本走査を行う前に、さらに各走査線１５１を走査する予備走査を行う構成を例に挙げて説明したが、本発明は、これに限定されるものではない。例えば、本走査を行う前に行った予備走査を、さらに本走査が開始されるまで継続する構成を採用してもよい。
【０１４６】
本変形例では、本走査を行う前に行った予備走査を、本走査が開始されるまで継続する構成について、図１８を参照して説明する。図１８は、本実施形態における、走査信号と映像信号との関係を示すタイミングチャートである。
【０１４７】
図１８に示すように、走査線駆動回路１２は、まず、ｎ番目の走査線１５１の予備走査において、中間電位Ｖｇｌ’の予備走査信号を供給する第１予備走査を行い、続いて、ハイレベルの電圧Ｖｇｈの予備走査信号を供給する第２予備走査を行う。次に、走査線駆動回路１２は、中間電位Ｖｇｌ’の予備走査信号を供給する第１予備走査を行い、第１予備走査を本走査における第１走査を開始するまで継続する。
【０１４８】
第１走査が開始されるまで継続される第１予備走査を行う際に供給される予備走査信号を、レベルシフタ群１２３において生成するため、レベルシフタ群１２３に供給される予備走査制御信号は、第１予備走査期間を決定する第１予備走査制御信号と、第２予備走査期間を決定する第２予備走査制御信号とを含んでいればよい。なお、第１予備走査制御信号は、第２予備走査が開始される時点から、第１走査が開始される時点まで、Ｈレベルを保ち、第１走査が開始される時点でＬレベルになる。
【０１４９】
具体的には、レベルシフタ群１２３は、第２予備走査制御信号がＬレベルのままであり第１予備走査制御信号がＨレベルになった時点から、第１予備走査制御信号と第２予備走査制御信号とがＬレベルからＨレベルになるまでの期間、第１予備走査を行う際に供給される予備走査信号を生成する。レベルシフタ群１２３は、続いて、第１予備走査制御信号と第２予備走査制御信号とがＬレベルからＨレベルになった時点から、第１予備走査制御信号がＨレベルを保持しており第２予備走査制御信号がＬレベルになるまでの期間、第２予備走査を行う際に供給される予備走査信号を生成する。さらに、レベルシフタ群１２３は、第１予備走査制御信号がＨレベルを保持しており第２予備走査制御信号がＬレベルになった時点から、第１予備走査制御信号がＬレベルになる（すなわち、走査制御信号Ｇｓ１又はＧｓ３がＨレベルになる）までの期間、第１予備走査を行う際に供給される予備走査信号を生成する。
【０１５０】
もちろん、第１予備走査において供給される中間電位Ｖｇｌ’は、ＴＦＴ１５４がＯＮ状態になるゲート電圧の値よりも小さい。
【０１５１】
なお、第２予備走査が行われる期間は、本走査が行われる時点で映像信号線１５２に供給される映像信号の極性と同じ極性を有する映像信号が供給される期間内であることがより好ましい。
【０１５２】
この構成によれば、第２予備走査によって走査された走査線１５１に接続されているＴＦＴ１５４がＯＮ状態になるため、ＴＦＴ１５４のドレイン端子に接続されている画素電極に充電される電圧を、現在充電されている電圧から、本走査が実行される時点で充電される電圧に、予め近づけておくことができる。さらに、第２予備走査が開始される直前に第１予備走査を行い、かつ、第１走査が開始されるまで第１予備走査を継続することにより、ＴＦＴ１５４のゲート電圧を、第２走査が開始される前に、ＴＦＴ１５４がＯＮ状態になる直前の電圧まで、予め到達させておくことができる。これにより、第２走査を行う期間が短い場合にも、ＴＦＴ１５４のゲート電圧を、画素電極を充電するのに充分なハイレベルの電圧まで昇圧することができる。
【０１５３】
〔付加事項〕
本発明に係るドライバ装置は、上述のように、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、上記複数の走査線に順次走査信号を供給する走査線駆動回路と、上記複数の映像信号線に順次映像信号を供給する映像信号線駆動回路と、上記走査線駆動回路、及び、上記映像信号線駆動回路における信号の供給タイミングを制御するタイミング制御回路と、を備えたドライバ装置において、上記走査線駆動回路は、ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、上記ｎ番目の走査線の走査を終了した時点で上記ｎ＋ｍ番目の走査線に対して、上記ハイレベルの電圧を有する走査信号を供給する第２走査を実行することを特徴としている。
【０１５４】
また、本発明に係るドライバ装置の駆動方法は、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、上記複数の走査線に順次走査信号を供給する走査線駆動回路と、上記複数の映像信号線に順次映像信号を供給する映像信号線駆動回路と、上記走査線駆動回路、及び、上記映像信号線駆動回路における信号の供給タイミングを制御するタイミング制御回路と、を備えたドライバ装置における駆動方法であって、ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧と、ハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行する第１走査ステップと、上記ｎ番目の走査線の走査が終了した時点で、上記ｎ＋ｍ番目の走査線に対して上記ハイレベルの電圧を有する走査信号を供給する第２走査を実行する第２走査ステップとを含んでいる、ことを特徴としている。
【０１５５】
上記の構成によれば、上記ドライバ装置は、ｎ＋ｍ番目の走査線を走査する際に、上記第１走査において中間電位を有する走査信号を供給することによって、ｎ＋ｍ番目の走査線に接続されたＴＦＴのゲート電圧を、上記第２走査が開始されるよりも前の時点（すなわち、ｎ番目の走査線が走査されている時点）でＴＦＴがＯＮ状態になる前の電圧まで予め到達させておき、上記第２走査においてＴＦＴのゲート電圧をハイレベルの電圧まで到達させる。すなわち、上記第２走査におけるＴＦＴのゲート電圧の充電は、ローレベルの電圧からハイレベルの電圧まで到達させる必要はなく、ＴＦＴがＯＮ状態になる前の電圧からハイレベルの電圧まで到達させればよい。したがって、上記第２走査において、ｎ＋ｍ番目の走査線に接続されているＴＦＴのゲート電圧をハイレベルの電圧まで到達させるのに必要な期間を短縮することができる。これにより、上記第２走査を行う期間が短時間しか確保できない場合にも、ＴＦＴのゲート電圧をハイレベルの電圧まで到達させることができる。
【０１５６】
また、短時間でＴＦＴのゲート電圧をハイレベルの電圧まで到達させることができるため、ゲート到達電圧不足に起因する、ドレイン電圧の充電不足を防止することができる。すなわち、上記画素電極を高速で充電しなければならない場合に、当該画素電極の充電不足を防止することができる。
【０１５７】
さらに、ゲート到達電圧不足に起因する画素電極の充電不足を防止するために、ＴＦＴのゲート電極に印加される走査信号の電圧を大きくする必要がないため、耐高電圧の駆動回路及びＴＦＴなどを用いる必要がなく、コストを下げることができる。
【０１５８】
また、ゲート到達電圧不足に起因する画素電極の充電不足を防止するために、ＴＦＴのサイズを大きくする必要がないため、上記表示パネルの配線の負荷を低減し、開口率を向上させることができる。
【０１５９】
なお、上記画素電極を高速で充電しなければならない場合として、例えば、表示画面が大きい場合（すなわち、負荷が大きい場合）、高解像度が求められる場合、高フレームレートが求められる場合、及び、視差バリア方式の駆動などによって３Ｄ表示を行う場合などを挙げることができるが、これに限定されるものではない。
【０１６０】
本発明に係るドライバ装置において、上記走査線駆動回路は、上記走査線に対し、上記第１走査及び上記第２走査を含む本走査を実行する前に予備走査信号を供給する予備走査を実行することが好ましい。
【０１６１】
本発明に係るドライバ装置の駆動方法は、上記走査線に対し、上記第１走査ステップ及び上記第２走査ステップを含む本走査を実行するよりも前に予備走査信号を供給する予備走査を実行する予備走査ステップをさらに含んでいることが好ましい。
【０１６２】
上記の構成によれば、上記予備走査によって走査された走査線に接続されているＴＦＴがＯＮ状態になるため、ＴＦＴのドレイン端子に接続されている画素電極を、現在充電されている電圧から、上記本走査が実行される時点で充電される電圧に、予め近づけておくことができる。これによって、走査期間が短時間しか確保できない場合に、上記画素電極の充電不足をより防止することができる。
【０１６３】
本発明に係るドライバ装置において、上記中間電位は、上記ローレベルの電圧の値よりも大きい値から映像信号が有する電圧の最小値よりも小さい値までの範囲の値であることが好ましい。
【０１６４】
本発明に係るドライバ装置の駆動方法において、上記中間電位を上記ローレベルの電圧の値よりも大きい値から映像信号が有する電圧の最小値よりも小さい値までの範囲の値であることが好ましい。
【０１６５】
上記の構成によれば、上記ＴＦＴのゲート−ソース間電圧Ｖｇｓが０Ｖより小さい値（Ｖｇｓ＜０Ｖ（Ｖｇｌ’＜Ｖｓｌ））となる。なお、上記ＴＦＴが、一般的な表示装置の画素の駆動に用いられるＴＦＴ特性を示す場合には、Ｖｇｓ＜０Ｖである時、ソース−ドレイン間が高抵抗（すなわち、上記ＴＦＴはＯＦＦ状態）である。このため、中間電位Ｖｇｌ’が映像信号が有する電圧の最小値Ｖｓｌよりも小さい値であるときには、上記第１走査において上記画素電極の電圧が大きく変化することを防ぎ、表示品質の低下を抑制することができる。
【０１６６】
本発明に係るドライバ装置において、上記走査線駆動回路は、上記映像信号線に供給される映像信号の極性が反転する場合にのみ、上記第１走査を実行することが好ましい。
【０１６７】
本発明に係るドライバ装置の駆動方法において、上記第１走査ステップは、上記映像信号線に供給される映像信号の極性が反転する場合にのみ実行されることが好ましい。
【０１６８】
上記の構成によれば、上記映像信号線に供給される映像信号の極性が反転しない場合には、上記第１走査を実行する必要がない。これは、映像信号の極性が反転する場合には、負極性から正極性、又は、正極性から負極性まで上記画素電極を充電しなければならないが、極性が反転しない場合には、上記画素電極を同じ極性に充電すればよいためである。
【０１６９】
これによって、極性が反転する場合と、極性が反転しない場合とで異なる、上記画素電極の充電に必要な時間の差を小さくすることができ、上記画素電極の充電電圧のばらつきを抑えることができる。映像信号の極性の反転と非反転とを繰り返す駆動方法としては、例えば、ｎドット反転駆動を挙げることができるが、これに限定されるものではない。
【０１７０】
本発明に係るドライバ装置において、上記中間電位は、接地電位であることが好ましい。
【０１７１】
本発明に係るドライバ装置の駆動方法において、上記中間電位を接地電位とすることが好ましい。
【０１７２】
上記の構成によれば、中間電位が０Ｖであるため、上記第１走査を実行する際に、新たな電源回路を設ける必要がないため、コストを下げることができる。また、中間電位が０Ｖであることから、低消費電力で駆動させることができるため、消費電力を削減することができる。
【０１７３】
本発明に係るドライバ装置において、上記走査線駆動回路は、上記第１走査における走査期間の長さ、及び、中間電位の大きさの少なくとも何れか一方を、上記走査線毎に変更可能であることが好ましい。
【０１７４】
本発明に係るドライバ装置の駆動方法における上記第１走査ステップにおいて、走査期間の長さ、及び、中間電位の大きさの少なくとも何れか一方を、上記走査線毎に変更可能であることが好ましい。
【０１７５】
上記の構成によれば、上記走査線駆動回路は、上記第１走査の走査期間が長時間必要な場合には、長期間上記第１走査を行うことができる。
【０１７６】
また、上記走査線駆動回路は、上記第１走査において大きな値の中間電位が必要な場合には、大きな値の中間電位で上記第１走査を行うことができる。なお、大きな値の中間電位が必要な場合としては、ＯＮ状態になるために大きな電圧が必要なＴＦＴを用いている場合をあげることができる。
【０１７７】
これによって、上記画素電極の充電不足を防止することができると共に、上記画素電極の充電電圧のばらつきを抑えることができる。
【０１７８】
なお、上記第１走査の走査期間が長時間必要な場合、及び、上記第１走査において大きな値の中間電位が必要な場合としては、例えば、映像信号の極性が反転する場合が挙げられるが、これに限定されるものではない。
【０１７９】
また、上記第１走査の走査期間が短時間しか必要ない場合、及び、上記第１走査において小さな値の中間電位が必要な場合としては、例えば、映像信号の極性が反転しない場合を挙げることができるが、これに限定されるものではない。
【０１８０】
本発明に係るドライバ装置において、上記走査線駆動回路は、上記第２走査において供給される電圧を、ハイレベルの電圧から傾斜するように低下させた後、上記第２走査を終了することが好ましい。
【０１８１】
本発明に係るドライバ装置の駆動方法において、上記第２走査ステップは、供給される電圧を、ハイレベルの電圧から傾斜するように所定の値まで低下させた後、上記第２走査を終了することが好ましい。
【０１８２】
上記の構成によれば、上記第２走査における走査信号の値を、ハイレベルの電圧から傾斜するように低下させるため、上記画素電極の充電不足を防止すると共に、上記走査信号を急峻に立ち下がらないようにすることが可能となる。これにより、上記ＴＦＴのゲート−ドレイン間の寄生容量に起因する上記画素電極の充電電圧の低下（いわゆる、レベルシフト）を低減することができる。したがって、表示される画像におけるフリッカや表示劣化（焼き付け残像等の表示不具合を含む）が生じることを回避することができる。
【０１８３】
本発明に係るドライバ装置において、上記ＴＦＴの半導体層は、酸化物半導体、又は、ｐ−Ｓｉによって形成されることが好ましい。
【０１８４】
本発明に係るドライバ装置の駆動方法において、上記ＴＦＴの半導体層は、酸化物半導体、又は、ｐ−Ｓｉによって形成された半導体層であることが好ましい。
【０１８５】
上記の構成によれば、上記ＴＦＴの半導体層を酸化物半導体、又は、ｐ−Ｓｉ（Polycrystalline Silicon：多結晶シリコン）によって形成しているため、上記ＴＦＴの半導体層をａ−Ｓｉ（amorphous Silicon：非晶質シリコン）によって形成している場合と比較して、上記ＴＦＴのゲート−ソース間電圧Ｖｇｓ≦０Ｖにおけるドレイン電流の値が小さく、かつ、一定に近い値をとる。すなわち、上記ＴＦＴの半導体層を酸化物半導体、又は、ｐ−Ｓｉによって形成することにより、Ｖｇｓ≦０Ｖにおいて、ゲート−ソース間の電圧の差の影響を受けにくいＴＦＴを形成することができる。これにより、上記画素電極の電位の変動を小さくすることができるため、表示品質を向上させることができる。
【０１８６】
なお、上記ＴＦＴの半導体層を形成する酸化物半導体としては、例えば、ＩＧＺＯ（In-Ga-Zn-O：酸化インジウム・ガリウム・亜鉛）、ＺｎＯ（酸化亜鉛）などを挙げることができるが、これに限定されるものではない。
【０１８７】
本発明に係るドライバ装置において、上記予備走査は、第１予備走査、及び、第２予備走査を含み、上記走査線駆動回路は、上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、上記予備走査において、上記第２予備走査が終了した時点から、上記第１走査が開始される時点まで、上記第１予備走査を継続することが好ましい。
【０１８８】
本発明に係るドライバ装置の駆動方法において、上記予備走査ステップは、ハイレベルの電圧を有する予備走査信号を供給する第２予備走査ステップと、走査線が走査されない期間におけるローレベルの電圧と上記ハイレベルの電圧との中間電位を有する予備走査信号を供給する第１予備走査ステップとを含み、上記予備走査ステップにおいて、上記第２予備走査ステップが終了した時点から、上記第１走査ステップが開始される時点まで、上記第１予備走査ステップを継続することが好ましい。
【０１８９】
上記の構成によれば、上記第２予備走査によって走査された走査線に接続されているＴＦＴがＯＮ状態になるため、ＴＦＴのドレイン端子に接続されている画素電極に充電される電圧を、現在充電されている電圧から、上記本走査が実行される時点で充電される電圧に、予め近づけておくことができる。さらに、上記第１走査が開始されるまで上記第１予備走査を継続することにより、ＴＦＴのゲート電圧を、上記第２走査が開始される前に、ＴＦＴがＯＮ状態になる直前の電圧まで予め到達させておくことができる。これにより、上記第２走査を行う期間が短い場合にも、ＴＦＴのゲート電圧を、画素電極を充電するのに充分なハイレベルの電圧まで昇圧することができる。
【０１９０】
本発明に係るドライバ装置において、上記予備走査は、第１予備走査、及び、第２予備走査を含み、上記走査線駆動回路は、上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、上記予備走査において、上記第２予備走査が開始される直前に上記第１予備走査を実行し、上記第２予備走査が終了した時点から、上記第１走査が開始される時点まで、上記第１予備走査を継続することが好ましい。
【０１９１】
本発明に係るドライバ装置の駆動方法において、上記予備走査ステップは、ハイレベルの電圧を有する予備走査信号を供給する第２予備走査ステップと、走査線が走査されない期間におけるローレベルの電圧と上記ハイレベルの電圧との中間電位を有する予備走査信号を供給する第１予備走査ステップとを含み、上記予備走査ステップにおいて、上記第２予備走査ステップが開始される直前に上記第１予備走査ステップを実行し、上記第２予備走査ステップが終了した時点から、上記第１走査ステップが開始される時点まで、上記第１予備走査ステップを継続することが好ましい。
【０１９２】
上記の構成によれば、上記第２予備走査によって走査された走査線に接続されているＴＦＴがＯＮ状態になるため、ＴＦＴのドレイン端子に接続されている画素電極に充電される電圧を、現在充電されている電圧から、上記本走査が実行される時点で充電される電圧に、予め近づけておくことができる。さらに、上記第２予備走査が開始される直前に上記第１予備走査を行い、かつ、上記第１走査が開始されるまで上記第１予備走査を継続することにより、ＴＦＴのゲート電圧を、上記第２走査が開始される前に、ＴＦＴがＯＮ状態になる直前の電圧まで、予め到達させておくことができる。これにより、上記第２走査を行う期間が短い場合にも、ＴＦＴのゲート電圧を、画素電極を充電するのに充分なハイレベルの電圧まで昇圧することができる。
【０１９３】
本発明に係るドライバ装置において、上記走査線駆動回路は、上記映像信号線に供給される映像信号の極性が反転しない場合に、上記第１走査における走査期間の長さを短くする処理、及び、上記第１走査における中間電位の大きを小さくする処理の少なくとも何れか一方を実行する、ことが好ましい。
【０１９４】
また、本発明に係るドライバ装置の駆動方法における上記第１走査ステップにおいて、上記映像信号線に供給される映像信号の極性が反転しない場合に、上記第１走査における走査期間の長さを短くする処理、及び、上記第１走査における中間電位の大きを小さくする処理の少なくとも何れか一方が実行可能である、ことが好ましい。
【０１９５】
上記の構成によれば、上記走査線駆動回路１２は、上記第１走査の走査期間が長時間必要な場合、すなわち、上記映像信号の極性が反転する場合に、上記第１走査を長期間行うことができる。また、上記走査線駆動回路１２は、上記第１走査の走査期間が短時間しか必要ない場合、すなわち、上記映像信号の極性が反転しない場合に、上記第１走査を短期間だけ行うことができる。
【０１９６】
また、上記の構成によれば、上記走査線駆動回路１２は、上記第１走査において値の大きな中間電位が必要な場合、すなわち、上記映像信号の極性が反転する場合に、値の大きな中間電位によって上記第１走査を行うことができる。また、上記走査線駆動回路１２は、上記第１走査において値の大きな中間電位が必要ない場合、すなわち、上記映像信号の極性が反転しない場合に、値の小さな中間電位によって上記第１走査を行うことができる。
【０１９７】
これによって、上記画素電極の充電不足を防止することができると共に、上記画素電極の充電電圧のばらつきを抑えることができる。
【０１９８】
本発明に係る表示装置は、複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルと、上記表示パネルを駆動するドライバ装置と、を備えた表示装置であって、上記ドライバ装置は、上述したドライバ装置であることが好ましい。
【０１９９】
上記の構成によれば、上述したドライバ装置と同様の効果を奏する。
【０２００】
なお、本発明は上述した本実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２０１】
本発明に係るドライバ装置は、テレビジョン受像機、パーソナル・コンピューター、カーナビゲーションシステム、携帯電話、などに好適に適用することができる。
【符号の説明】
【０２０２】
１            表示装置
１０          ドライバ装置
１１          タイミング制御回路
１２          走査線駆動回路
１３          映像信号線駆動回路
１４          電源回路
１５          表示パネル
１２１        走査駆動制御部
１２２        シフトレジスタ群
１２３        レベルシフタ群
１２４        出力回路部
１５１        走査線
１５２        映像信号線
１５３        保持容量配線
１５４        ＴＦＴ
１５５        画素電極
１５６        画素領域
【図１】
2012115051.tif 000003
【図２】
2012115051.tif 000004
【図３】
2012115051.tif 000005
【図４】
2012115051.tif 000006
【図５】
2012115051.tif 000007
【図６】
2012115051.tif 000008
【図７】
2012115051.tif 000009
【図８】
2012115051.tif 000010
【図９】
2012115051.tif 000011
【図１０】
2012115051.tif 000012
【図１１】
2012115051.tif 000013
【図１２】
2012115051.tif 000014
【図１３】
2012115051.tif 000015
【図１４】
2012115051.tif 000016
【図１５】
2012115051.tif 000017
【図１６】
2012115051.tif 000018
【図１７】
2012115051.tif 000019
【図１８】
2012115051.tif 000020
【図１９】
2012115051.tif 000021
【図２０】
2012115051.tif 000022
【図２１】
2012115051.tif 000023
【図２２】
2012115051.tif 000024
【図２３】
2012115051.tif 000025
【図２４】
2012115051.tif 000026
【図２５】
2012115051.tif 000027
【図２６】
2012115051.tif 000028
【図２７】
2012115051.tif 000029
【図２８】
2012115051.tif 000030
【図２９】
2012115051.tif 000031
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
複数の走査線と、
上記複数の走査線と交差するように配置された複数の映像信号線と、
上記複数の走査線と上記複数の映像信号線とによって画定される画素領域と、
上記画素領域毎に設けられた画素電極と、
上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置において、
上記走査線駆動回路は、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、
上記ｎ番目の走査線の走査を終了した時点で上記ｎ＋ｍ番目の走査線に対して、上記ハイレベルの電圧を有する走査信号を供給する第２走査を実行し、
上記走査線に対し、上記第１走査及び上記第２走査を含む本走査を実行する前に予備走査信号を供給する予備走査であって、第１予備走査及び第２予備走査を含む予備走査を実行し、
上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、
上記予備走査において、上記第２予備走査が終了した時点から、上記第１走査が開始される時点まで、上記第１予備走査を継続することを特徴とするドライバ装置。
【請求項２】
複数の走査線と、
上記複数の走査線と交差するように配置された複数の映像信号線と、
上記複数の走査線と上記複数の映像信号線とによって画定される画素領域と、
上記画素領域毎に設けられた画素電極と、
上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置において、
上記走査線駆動回路は、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧とハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行し、
上記ｎ番目の走査線の走査を終了した時点で上記ｎ＋ｍ番目の走査線に対して、上記ハイレベルの電圧を有する走査信号を供給する第２走査を実行し、
上記第１走査における走査期間の長さ、及び、中間電位の大きの少なくとも何れか一方を、上記走査線毎に変更可能であり、
上記映像信号線に供給される映像信号の極性が反転しない場合に、上記第１走査における走査期間の長さを短くする処理、及び、上記第１走査における中間電位の大きを小さくする処理の少なくとも何れか一方を実行する、
ことを特徴とするドライバ装置。
【請求項３】
上記中間電位は、上記ローレベルの電圧の値よりも大きい値から映像信号が有する電圧の最小値よりも小さい値までの範囲の値である
ことを特徴とする請求項１又は２に記載のドライバ装置。
【請求項４】
上記走査線駆動回路は、上記映像信号線に供給される映像信号の極性が反転する場合にのみ、上記第１走査を実行する
ことを特徴とする請求項１から３の何れか１項に記載のドライバ装置。
【請求項５】
上記中間電位は、接地電位である
ことを特徴とする請求項１から４の何れか１項に記載のドライバ装置。
【請求項６】
上記走査線駆動回路は、上記第２走査において供給される電圧を、ハイレベルの電圧から傾斜するように低下させた後、上記第２走査を終了する
ことを特徴とする請求項１から５の何れか１項に記載のドライバ装置。
【請求項７】
上記ＴＦＴの半導体層は、酸化物半導体、又は、ｐ−Ｓｉによって形成される
ことを特徴とする請求項１から６までの何れか１項に記載のドライバ装置。
【請求項８】
上記ＴＦＴの半導体層は酸化物半導体によって形成され、当該酸化物半導体はＩｎ−Ｇａ−Ｚｎ−Ｏである、
ことを特徴とする請求項１から６までの何れか１項に記載のドライバ装置。
【請求項９】
上記予備走査は、第１予備走査、及び、第２予備走査を含み、
上記走査線駆動回路は、
上記第２予備走査においてハイレベルの電圧を有する予備走査信号を供給し、上記第１予備走査において、走査線が走査されない期間におけるローレベルの電圧と上記ハイレベルの電圧との中間電位を有する予備走査信号を供給し、
上記予備走査において、上記第２予備走査が開始される直前に上記第１予備走査を実行し、上記第２予備走査が終了した時点から、上記第１走査が開始される時点まで、上記第１予備走査を継続する
ことを特徴とする請求項１に記載のドライバ装置。
【請求項１０】
複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置における駆動方法であって、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧と、ハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行する第１走査ステップと、
上記ｎ番目の走査線の走査が終了した時点で、上記ｎ＋ｍ番目の走査線に対して上記ハイレベルの電圧を有する走査信号を供給する第２走査を実行する第２走査ステップと、
上記走査線に対し、上記第１走査ステップ及び上記第２走査ステップを含む本走査を実行する前に予備走査信号を供給する予備走査を実行する予備走査ステップと、を含んでおり、
上記予備走査ステップは、
ハイレベルの電圧を有する予備走査信号を供給する第２予備走査ステップと、
走査線が走査されない期間におけるローレベルの電圧と上記ハイレベルの電圧との中間電位を有する予備走査信号を供給する第１予備走査ステップとを含み、
上記予備走査ステップにおいて、上記第２予備走査ステップが終了した時点から、上記第１走査ステップが開始される時点まで、上記第１予備走査ステップを継続する
ことを特徴とする駆動方法。
【請求項１１】
複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルを駆動するドライバ装置であって、
上記複数の走査線に順次走査信号を供給する走査線駆動回路と、
上記複数の映像信号線に順次映像信号を供給する映像信号線駆動回路と、
上記走査線駆動回路、及び、上記映像信号線駆動回路における信号の供給タイミングを制御するタイミング制御回路と、を備えたドライバ装置における駆動方法であって、
ｎ（ただし、ｎは０以外の整数）番目の走査線を走査する走査期間の間に、ｎ＋ｍ（ただし、ｍは０以外の整数）番目の走査線に対して、走査線が走査されない期間におけるローレベルの電圧と、ハイレベルの電圧との中間電位を有する走査信号の供給を開始し、上記ｎ番目の走査線の走査が終了した時点で上記ｎ＋ｍ番目の走査線に対する中間電位の走査信号の供給を終了する第１走査を実行する第１走査ステップと、
上記ｎ番目の走査線の走査が終了した時点で、上記ｎ＋ｍ番目の走査線に対して上記ハイレベルの電圧を有する走査信号を供給する第２走査を実行する第２走査ステップとを含んでおり、
上記第１走査ステップにおいて、
走査期間の長さ、及び、中間電位の大きさの少なくとも何れか一方を、上記走査線毎に変更可能であり、
上記映像信号線に供給される映像信号の極性が反転しない場合に、上記第１走査における走査期間の長さを短くする処理、及び、上記第１走査における中間電位の大きを小さくする処理の少なくとも何れか一方が実行可能である、
ことを特徴とする駆動方法。
【請求項１２】
上記予備走査ステップは、
ハイレベルの電圧を有する予備走査信号を供給する第２予備走査ステップと、
走査線が走査されない期間におけるローレベルの電圧と上記ハイレベルの電圧との中間電位を有する予備走査信号を供給する第１予備走査ステップとを含み、
上記予備走査ステップにおいて、上記第２予備走査ステップが開始される直前に上記第１予備走査ステップを実行し、上記第２予備走査ステップが終了した時点から、上記第１走査ステップが開始される時点まで、上記第１予備走査ステップを継続する
ことを特徴とする請求項１０に記載の駆動方法。
【請求項１３】
複数の走査線と、上記複数の走査線と交差するように配置された複数の映像信号線と、上記複数の走査線と上記複数の映像信号線とによって画定される画素領域と、上記画素領域毎に設けられた画素電極と、上記走査線に供給される走査信号によって上記画素電極と当該画素電極に対応する映像信号線との電気的な接続をオンオフするＴＦＴと、を備えた表示パネルと、
上記表示パネルを駆動するドライバ装置と、を備えた表示装置であって、
上記ドライバ装置は、請求項１から９の何れか１項に記載のドライバ装置である
ことを特徴とする表示装置。
【国際調査報告】
2012115051.tif 000032
2012115051.tif 000033
2012115051.tif 000034
2012115051.tif 000035